(57)【要約】【課題】端末装置の姿勢が変化した際に生じるコンテンツの出力を適正に制御することができる端末装置を提供する。【解決手段】姿勢検出部は、少なくとも第一の姿勢、第二の姿勢を取り得る自装置の姿勢変化を検出する。出力制御部は、姿勢検出部が検出した姿勢変化に応じて、第一のコンテンツまたは第二のコンテンツの何れか一方を出力部に出力させる出力制御を行う。そして、所定の条件を満たす場合には、出力制御部は、検出した姿勢に応じた出力制御を抑制する。【選択図】図１
2015001855.tif 000002
【特許請求の範囲】
【請求項１】
少なくとも第一の姿勢、第二の姿勢を取り得る自装置の姿勢変化を検出する姿勢検出部と、
前記姿勢検出部が検出した姿勢変化に応じて、第一のコンテンツまたは第二のコンテンツの何れか一方を出力部に出力させる出力制御を行う出力制御部と、
を備え、
所定の条件を満たす場合には、前記出力制御部は、前記検出した姿勢に応じた前記出力制御を抑制する
ことを特徴とする端末装置。
【請求項２】
前記所定の条件は、前記姿勢検出部が検出した姿勢変化に応じて出力制御されるコンテンツが、有料コンテンツであることを示す条件である
ことを特徴とする請求項１に記載の端末装置。
【請求項３】
前記姿勢検出部が検出した姿勢変化に応じて出力制御されるコンテンツは、前記姿勢検出部が検出した姿勢変化後における姿勢に応じて出力制御される有料コンテンツであることを示す条件である
ことを特徴とする請求項２に記載の端末装置。
【請求項４】
前記姿勢検出部が検出した姿勢変化に応じて出力制御されるコンテンツは、前記姿勢検出部が検出した姿勢変化前後の両方の姿勢に応じて出力制御される有料コンテンツであることを示す条件である
ことを特徴とする請求項２に記載の端末装置。
【請求項５】
前記所定の条件は、前記姿勢検出部が検出した姿勢変化に応じて出力制御されるコンテンツが、認証手続きを要するコンテンツであることを示す条件である
ことを特徴とする請求項１に記載の端末装置。
【請求項６】
前記姿勢検出部が検出した姿勢変化に応じて出力制御されるコンテンツは、前記姿勢検出部が検出した姿勢変化後における姿勢に応じて出力制御される認証手続きを要するコンテンツであることを示す条件である
ことを特徴とする請求項５に記載の端末装置。
【請求項７】
前記姿勢検出部が検出した姿勢変化に応じて出力制御されるコンテンツは、前記姿勢検出部が検出した姿勢変化前後における姿勢に応じて出力制御される認証手続きを要するコンテンツであることを示す条件である
ことを特徴とする請求項５に記載の端末装置。
【請求項８】
前記所定の条件は、前記姿勢検出部が検出した姿勢変化前の姿勢に応じて出力制御されるコンテンツにおいて、ユーザ操作入力を要する情報の入力途上、または、データのダウンロードの途上であることを示す条件である
ことを特徴とする請求項１に記載の端末装置。
【請求項９】
前記出力制御部は、前記第一の姿勢と前記第二の姿勢が切り替わった場合に、前記第一の姿勢と前記第二の姿勢とが切り替わる前に出力部へ出力していたコンテンツを、前記第一の姿勢と前記第二の姿勢とが切り替わった後の出力部に合った大きさに変更したコンテンツを出力部へ出力する
ことを特徴とする請求項１から請求項８の何れか一項に記載の端末装置。
【請求項１０】
前記出力部として複数の出力部を備え、
前記出力制御部は、前記姿勢検出部が検出した姿勢変化前の姿勢において前記複数の出力部のうち１つ以上の出力部に出力していたコンテンツを、前記姿勢変化前の姿勢において当該コンテンツを出力していた出力部の数よりも多い姿勢変化後の姿勢における出力部に合った大きさに拡大したコンテンツを前記姿勢変化後の姿勢における出力部に出力する
ことを特徴とする請求項１から請求項８の何れか一項に記載の端末装置。
【請求項１１】
前記出力部として複数の出力部を備え、
前記出力制御部は、前記姿勢検出部が検出した姿勢変化前の姿勢において前記複数の出力部のうち複数の出力部に出力していたコンテンツを、前記姿勢変化前の姿勢において当該コンテンツを出力していた出力部の数よりも少ない姿勢変化後の姿勢における出力部に合った大きさに縮小したコンテンツを前記姿勢変化後の姿勢における出力部に出力する
ことを特徴とする請求項１から請求項８の何れか一項に記載の端末装置。
【請求項１２】
前記第一の姿勢および前記第二の姿勢において、
前記出力部の少なくとも１つは視認できる面を向いている
ことを特徴とする請求項１から請求項１１の何れか一項に記載の端末装置。
【請求項１３】
少なくとも開閉可能な複数の筺体と、
前記複数の筺体が開状態の場合および閉状態の場合に前記出力部としての少なくとも１つの視認できる表示部と、
を備え、
前記第一の姿勢及び第二の姿勢は、前記開状態及び閉状態である、
ことを特徴とする請求項１から請求項９の何れか一項に記載の端末装置。
【請求項１４】
少なくとも第一の姿勢、第二の姿勢を取り得る自装置の姿勢変化を検出し、
前記検出した姿勢変化に応じて、第一のコンテンツまたは第二のコンテンツの何れか一方を出力部に出力させ、
所定の条件を満たす場合には、前記検出した姿勢に応じた出力制御を抑制する
ことを特徴とする出力制御方法。
【請求項１５】
端末装置のコンピュータを、
少なくとも第一の姿勢、第二の姿勢を取り得る自装置の姿勢変化を検出する姿勢検出手段、
前記姿勢検出手段が検出した姿勢変化に応じて、第一のコンテンツまたは第二のコンテンツの何れか一方を出力部に出力させる出力制御手段、
として機能させ、
所定の条件を満たす場合には、前記出力制御手段は、前記検出した姿勢に応じた出力制御を抑制する
ことを特徴とするプログラム。
【発明の詳細な説明】
【技術分野】
【０００１】
本発明は、コンテンツを出力部に出力する端末装置、出力制御方法及びプログラムに関する。
【背景技術】
【０００２】
インターネットに接続されたウェブサーバなどでは、コンテンツを出力する端末装置の出力部の表示領域に合わせて、複数の表示様式の異なるコンテンツを用意し端末に配信している場合がある。
特許文献１には、複数の出力部を有する端末装置が、１つのコンテンツを１つの出力部に出力する場合と複数の出力部に出力する場合とでそのコンテンツの表示様式を切り替える技術が記載されている。
【先行技術文献】
【特許文献】
【０００３】
【特許文献１】特開２０１１−１３０４６６号公報
【発明の概要】
【発明が解決しようとする課題】
【０００４】
しかしながら、特許文献１に記載されているような技術を用いた端末装置が、前述のコンテンツを出力させる場合に姿勢に応じて一律に表示様式を切り替えてしまうと、ユーザの意図しない新たなコンテンツの取得が行われ、ユーザにとって不利益が生じる可能性がある。すなわち、特許文献１に記載されているような技術では、コンテンツの出力が適切に制御されているとは言えない。そのため、特許文献１に記載されているような技術では、コンテンツの出力がその姿勢に応じて適切に制御される技術が求められていた。
【０００５】
そこでこの発明は、上記の課題を解決することのできる端末装置、出力制御方法及びプログラムを提供することを目的としている。
【課題を解決するための手段】
【０００６】
上記目的を達成するために、本発明は、少なくとも第一の姿勢、第二の姿勢を取り得る自装置の姿勢変化を検出する姿勢検出部と、前記姿勢検出部が検出した姿勢変化に応じて、第一のコンテンツまたは第二のコンテンツの何れか一方を出力部に出力させる出力制御を行う出力制御部と、を備え、所定の条件を満たす場合には、前記出力制御部は、前記検出した姿勢に応じた前記出力制御を抑制することを特徴とする端末装置である。
【０００７】
また本発明は、少なくとも第一の姿勢、第二の姿勢を取り得る自装置の姿勢変化を検出し、前記検出した姿勢変化に応じて、第一のコンテンツまたは第二のコンテンツの何れか一方を出力部に出力させ、所定の条件を満たす場合には、前記検出した姿勢に応じた出力制御を抑制することを特徴とする出力制御方法である。
【０００８】
また本発明は、端末装置のコンピュータを、少なくとも第一の姿勢、第二の姿勢を取り得る自装置の姿勢変化を検出する姿勢検出手段、前記姿勢検出手段が検出した姿勢変化に応じて、第一のコンテンツまたは第二のコンテンツの何れか一方を出力部に出力させる出力制御手段、として機能させ、所定の条件を満たす場合には、前記出力制御手段は、前記検出した姿勢に応じた出力制御を抑制することを特徴とするプログラムである。
【発明の効果】
【０００９】
本発明によれば、端末装置の姿勢が変化した際に生じるコンテンツの出力を適切に制御することができる。
【図面の簡単な説明】
【００１０】
【図１】本発明の端末装置１０の最小構成を示す機能ブロック図である。
【図２】本発明の第一の実施形態による端末装置１０の構成を示す機能ブロック図である。
【図３】本発明の第一の実施形態による端末装置１０の外観を示す図である。
【図４】本発明の第一の実施形態による端末装置１０の第一の姿勢における出力部１１０の出力例を示す図である。
【図５】本発明の第一の実施形態による端末装置１０の第二の姿勢における出力部１１０の出力例を示す図である。
【図６】本発明の第一の実施形態による端末装置１０が第一の姿勢から第二の姿勢に変化した場合の出力部１１０の出力例を示す図である。
【図７】本発明の第一の実施形態による端末装置１０の処理フローを示す図である。
【図８】本発明の第二の実施形態による端末装置１０が第一の姿勢から第二の姿勢に変化した場合の出力部１１０の出力例を示す図である。
【図９】本発明の第二の実施形態による端末装置１０の処理フローを示す図である。
【図１０】本発明の第三の実施形態による端末装置１０が第一の姿勢から第二の姿勢に変化した場合の出力部１１０の出力例を示す図である。
【図１１】本発明の第三の実施形態による端末装置１０の処理フローを示す図である。
【図１２】本発明の第四の実施形態による端末装置１０が第一の姿勢から第二の姿勢に変化した場合の出力部１１０の出力例を示す図である。
【図１３】本発明の第五の実施形態による端末装置１０が第一の姿勢から第二の姿勢に変化した場合の出力部１１０の出力例を示す図である。
【図１４】本発明の第五の実施形態による端末装置１０の処理フローを示す図である。
【発明を実施するための形態】
【００１１】
図１は、本発明の端末装置１０の最小構成を示す機能ブロック図である。
本発明の端末装置１０は、図１で示すように、少なくとも姿勢検出部１０１、出力制御部１０２の機能部を備える。
ここで、姿勢検出部１０１は、少なくとも第一の姿勢、第二の姿勢を取り得る自装置の姿勢変化を検出する機能部である。
また、出力制御部１０２は、姿勢検出部１０１が検出した姿勢変化に応じて、第一のコンテンツまたは第二のコンテンツの何れか一方を出力部に出力させる出力制御を行う機能部である。また、出力制御部１０２は、所定の条件を満たす場合には、姿勢検出部１０１の検出した姿勢に応じた出力制御を抑制する機能部である。
なお、姿勢検出部１０１、出力制御部１０２の各機能部は、例えば端末装置１０の制御部（例えばＣＰＵ、Ｃｅｎｔｒａｌ  Ｐｒｏｃｃｅｓｓｉｎｇ  Ｕｎｉｔ）が制御プログラムを実行することにより、端末装置１０に構成される。
【００１２】
＜第一の実施形態＞
図２は、本発明の第一の実施形態による端末装置１０の構成を示す機能ブロック図である。
図２で示すように、第一の実施形態による端末装置１０は、図１で示した端末装置１０の最小構成を示す各機能に加え、条件判定部１０３と、出力部１１０と、記憶部１１１を備える。
ここで、条件判定部１０３は、出力制御部１０２が出力制御を抑制する所定の条件を満たしているか否かを判定する機能部である。所定の条件とは、例えば、コンテンツの取得に課金が発生する、すなわち有料コンテンツであることや、コンテンツの取得に認証手続きが必要なことなどである。
また、出力部１１０は、出力制御部１０２の制御に基づいて、種々の情報を出力する出力部である。この出力部１１０は、例えば、画像を映すためのスクリーン、液晶ディスプレイ、有機ＥＬ（Ｅｌｅｃｔｒｏ−Ｌｕｍｉｎｅｓｃｅｎｃｅ）ディスプレイなどの表示部である。
また、記憶部１１１は、端末装置１０の動作に必要な種々の情報を記憶する記憶部である。
【００１３】
図３は、本発明の第一の実施形態による端末装置１０の外観を示す図である。
この図で示すように、端末装置１０は、第一筐体１１の一辺と第二筐体１２の対応する一辺との間にヒンジ部材２１を備えている。このヒンジ部材２１により、第一筐体１１と第二筐体１２は、それぞれのヒンジ部材２１を軸として開閉が可能である。本実施形態においては、端末装置１０の出力部１１０として、長方形の２つの出力部１１０ａと１１０ｂを備えているものとする。また本実施形態による端末装置１０の第一の姿勢は、端末装置１０の第一筐体１１と第二筐体１２の間のヒンジ部材２１の軸が縦方向を向いている状態でありかつ、第一筐体１１と第二筐体１２とが閉じられた場合の姿勢を示す。第一の姿勢の場合、第一筐体１１と第二筐体１２とにそれぞれ設けられた出力部１１０ａと１１０ｂは、第一筐体１１と第二筐体１２の第一の姿勢において対向して重なり合うそれぞれの面とは反対の面に設けられている。また、本実施形態による端末装置１０の第二の姿勢は、端末装置１０の第一筐体１１と第二筐体１２の間のヒンジ部材２１の軸が縦方向を向いている状態でありかつ、第一筐体１１と第二筐体１２とがヒンジ部材２１を中心に所定の角度以上（例えば１２０°以上）で開かれた場合の姿勢を示す。ユーザは、端末装置１０の状態を第二の姿勢になるよう第一筐体１１と第二筐体１２とを開くことにより第一筐体１１に設けられた出力部１１０ａと第二筐体１２に設けられた出力部１１０ｂの２つの出力部を一度に視認することができる。
【００１４】
図４は、本発明の第一の実施形態による端末装置１０の第一の姿勢における出力部１１０の出力例を示す図である。
この図では、端末装置１０の姿勢が第一の姿勢である場合に、出力部１１０ａが、コンテンツとして、１つの出力部１１０ａに出力するのに適したスマートフォン用の様式で作成されたブラウザのトップページを表示している場合の例を示している。
【００１５】
図５は、本発明の第一の実施形態による端末装置１０の第二の姿勢における出力部１１０の出力例を示す図である。
この図では、端末装置１０の姿勢が第二の姿勢である場合に、出力部１１０（１１０ａと１１０ｂ）が、コンテンツとして、２つの出力部１１０（１１０ａと１１０ｂ）に出力するのに適したＰＣ（パーソナルコンピュータ）用の様式で作成されたブラウザのトップページを表示している場合の例を示している。この第二の姿勢における出力部１１０に出力するのに適したコンテンツは、第一の姿勢における出力部１１０に出力するのに適したコンテンツに比べ、出力部１１０の領域が広い分、情報量を多くすることができる。
【００１６】
図６は、本発明の第一の実施形態による端末装置１０が第一の姿勢から第二の姿勢に変化した場合の出力部１１０の出力例を示す図である。
端末装置１０の姿勢が第一の姿勢から第二の姿勢に変化した場合に出力部１１０は条件判定部１０３が所定の条件により判定した判定結果に基づいて、異なるコンテンツを出力する。
【００１７】
図６では、第一の姿勢から第二の姿勢に変化した場合において「条件１」、「条件２」、「条件３」に合致したと判定した場合のコンテンツの出力例を示している。
ここで、図６における「条件１」は、
（１ａ）「第二の姿勢における出力部１１０に出力するコンテンツとして適したコンテンツＢの取得に課金が発生する」、または、「第二の姿勢における出力部１１０に出力するコンテンツとして適したコンテンツＢの取得に認証手続きが必要である」の何れかを満足し、
（２ａ）第一の姿勢で出力部１１０ａに出力していたコンテンツＡのアスペクト比が、出力部１１０ａと１１０ｂの両方を合わせた領域のアスペクト比よりも、出力部１１０ａのみの領域のアスペクト比に近いことを満足する、
という条件である。
第二の姿勢となった端末装置１０の条件判定部１０３がこの「条件１」を満たしたと判定した場合、当該端末装置１０の出力制御部１０２は、コンテンツＡを特に変更せずに出力部１１０ａに出力する（図６の条件１参照）。
【００１８】
また、図６における「条件２」は、
（１ａ）「第二の姿勢における出力部１１０に出力するコンテンツとして適したコンテンツＢの取得に課金が発生する」、または、「第二の姿勢における出力部１１０に出力するコンテンツとして適したコンテンツＢの取得に認証手続きが必要である」の何れかを満足し、
（３ａ）第一の姿勢で出力部１１０ａに出力していたコンテンツＡのアスペクト比が、出力部１１０ａのみの領域のアスペクト比よりも、出力部１１０ａと１１０ｂの両方を合わせた領域のアスペクト比に近いことを満足する、
という条件である。
第二の姿勢となった端末装置１０の条件判定部１０３がこの「条件２」を満たしたと判定した場合、当該端末装置１０の出力制御部１０２は、コンテンツＡを出力部１１０ａと１１０ｂの両方を合わせた領域に合った大きさに拡大して出力部１１０ａと１１０ｂに出力する（図６の条件２参照）。
【００１９】
また、図６における「条件３」は、上述の「条件１」と「条件２」の何れも満足しない、という条件を示している。
第二の姿勢となった端末装置１０の条件判定部１０３がこの「条件３」を満たしたと判定した場合（つまり、条件１も条件２も満足しない場合）、端末装置１０の出力制御部１０２は、コンテンツＢをダウンロードし、そのコンテンツＢを出力部１１０ａと１１０ｂの両方を合わせた領域に出力する（図６の条件３参照）。このとき、コンテンツＢは、無料コンテンツであり、認証手続の必要のないコンテンツである。また、コンテンツＢは、出力部１１０ａと１１０ｂの両方を合わせた領域に適したＰＣ用の様式で作成されたコンテンツである。そのため、端末装置１０の出力制御部１０２が、コンテンツＢをダウンロードし、そのコンテンツＢを出力部１１０ａと１１０ｂの両方を合わせた領域に出力することで、ユーザはより領域の広い出力部にコンテンツが表示されるため当該コンテンツを視認しやすく、またコンテンツが課金されることはないためユーザにとって特に不利益を被ることなくコンテンツの再取得とそのコンテンツの出力をすることができる。
【００２０】
図７は、本発明の第一の実施形態による端末装置１０の処理フローを示す図である。
次に、本実施形態による端末装置１０の処理フローを説明する。
まず、端末装置１０は、第一の姿勢においてスマートフォン用の様式で作成されたコンテンツＡを出力している状態であるとする。そして、この状態からユーザ操作に基づいて第二の姿勢に変化する場合を想定して以下で説明する。
なお、記憶部１１１には、第一の姿勢から第二の姿勢に変化する前の状態において端末装置１０が第一の姿勢であることを示す情報が記録されているものとする。また、端末装置１０は、姿勢に応じた表示領域に適切な、内容が同一で新たなフォーマットのコンテンツの取得を実行するプログラムを予め記憶しており、姿勢の変化に応じて所定の条件を満足すればそのプログラムを実行するものであるとする。
【００２１】
端末装置１０の姿勢検出部１０１は、加速度センサ、角度センサ、磁気センサなどのセンサや機械的な機構を利用したスイッチなどを利用して第一筐体１１と第二筐体１２の開閉状態（第一の姿勢であるか、第二の姿勢であるか）やアスペクト比の判定のためにヒンジ部材の方向などを検出する。そして、姿勢検出部１０１は、記憶部１１１から姿勢を示す情報（第一の姿勢または第二の姿勢を示す情報）を読み出し、この読み出した姿勢の情報と、検出結果で得られた現在の姿勢を示す情報とを比較して、一致するか否かを判定する（ステップＳ１）。ここで、姿勢を示す情報が一致すると姿勢検出部１０１が判定した場合、当該姿勢検出部１０１は、端末装置１０の姿勢が変化していないと判定する（ステップＳ１、ＮＯ）。そして、姿勢検出部１０１は、ステップＳ１の判定処理を再度行う。また、姿勢を示す情報が一致しないと姿勢検出部１０１が判定した場合、当該姿勢検出部１０１は、端末装置１０の姿勢が変化したと判定する（ステップＳ１、ＹＥＳ）。そして、姿勢検出部１０１は、端末装置１０の姿勢が変化したことを検出すると、この姿勢変化後の姿勢の情報を記憶部１１１に記録する。また、姿勢検出部１０１は、その姿勢が変化したことを示す信号を条件判定部１０３に出力する。なお、以降の説明においては、端末装置１０の姿勢が第一の姿勢（閉）から第二の姿勢（開）に変化したものとして話を進めることとする。
【００２２】
条件判定部１０３は、姿勢検出部１０１から姿勢が変化したことを示す信号を入力すると、記憶部１１１から現在の姿勢の情報を読み取る。今、端末装置１０の現在の姿勢は第二の姿勢である。したがって、端末装置１０は、姿勢の変化に伴って、新たな姿勢において適したコンテンツの取得を行うか否かを判定する処理を開始する。このとき、条件判定部１０３は、現在の姿勢が第二の姿勢である場合、第二の姿勢において出力部１１０に出力するのに適したＰＣ用の様式で作成されたコンテンツＢが存在するか否かをサーバに問い合わせる。そして、条件判定部１０３は、サーバからコンテンツＢの存在を示す信号を受信した（ステップＳ２、ＹＥＳ）場合に、コンテンツＢの取得に課金が発生するか否かを判定する（ステップＳ３）。コンテンツＢの取得に課金が発生するか否かの判定の具体的な処理は、例えば条件判定部１０３は、コンテンツＢを配信するサーバにコンテンツＢの取得に課金が発生するか否かを問い合わせて、その結果を用いて判定すればよい。なお、ＰＣ用の様式で作成されたコンテンツＢが存在するか否かの情報が既に第一の姿勢において出力しているコンテンツＡのデータ内に格納されており、その情報を読み取ってステップＳ３の判定を行ってもよい。
【００２３】
条件判定部１０３がコンテンツＢの取得に課金が発生しないと判定した（ステップＳ３、ＮＯ）場合、次に条件判定部１０３は、コンテンツＢの取得に認証手続きが必要か否かを判定する（ステップＳ４）。コンテンツＢの取得に認証手続きが必要か否かの判定の具体的な処理は、コンテンツＢを配信するサーバにコンテンツＢの取得に認証手続きが必要か否かを問い合わせて、その結果を用いて判定するようにしてもよい。コンテンツＢの取得に認証手続きが必要か否かの判定においても、コンテンツＢの取得に認証手続きが必要か否かの情報が既に第一の姿勢において出力しているコンテンツＡのデータ内に格納されており、その情報を読み取ってステップＳ４の判定を行ってもよい。
【００２４】
次に、コンテンツＢの取得に課金が発生すると判定した（ステップＳ３、ＹＥＳ）場合、または、コンテンツＢの取得に認証手続きが必要であると判定した（ステップＳ４、ＹＥＳ）場合、条件判定部１０３は、出力部１１０ａのみの領域のアスペクト比とおける出力部１１０ａと１１０ｂの両方を合わせた領域のアスペクト比の間に設定したしきい値と、コンテンツＡのアスペクト比と、を比較する（ステップＳ５）。また、条件判定部１０３が、サーバからコンテンツＢが存在しないことを示す信号を受信した（ステップＳ２、ＮＯ）場合には、次にステップＳ５の処理を行う。
【００２５】
ここで、出力部１１０ａのみの領域のアスペクト比（本実施形態では、「縦／横」と考える）が出力部１１０ａと１１０ｂの両方を合わせた領域のアスペクト比よりも大きい場合において、コンテンツＡのアスペクト比が、設定されたしきい値よりも大きいと条件判定部１０３が判定した（ステップＳ５、ＹＥＳ）場合、コンテンツＡのアスペクト比は、出力部１１０ａと１１０ｂの両方を合わせた領域のアスペクト比よりも出力部１１０ａのみの領域のアスペクト比に近いといえる。また、出力部１１０ａのみの領域のアスペクト比が出力部１１０ａと１１０ｂの両方を合わせた領域のアスペクト比よりも大きい場合において、コンテンツＡのアスペクト比が、設定されたしきい値よりも小さいと条件判定部１０３が判定した（ステップＳ５、ＮＯ）場合、コンテンツＡのアスペクト比は、出力部１１０ａのみの領域のアスペクト比よりも出力部１１０ａと１１０ｂの両方を合わせた領域のアスペクト比に近いといえる。
そのため、出力部１１０ａのみの領域のアスペクト比が、出力部１１０ａと１１０ｂの両方を合わせた領域のアスペクト比よりも大きい場合において、コンテンツＡのアスペクト比が設定したしきい値よりも大きいと条件判定部１０３が判定した（ステップＳ５、ＹＥＳ）場合には、出力制御部１０２は、コンテンツＡを特に変更せず出力部１１０ａのみの領域に出力する（ステップＳ６）。このステップＳ６の処理により、ユーザは、第二の姿勢においてコンテンツＡを第一の姿勢のときと同様の大きさでコンテンツの内容を確認することができる。
【００２６】
また、出力部１１０ａのみの領域のアスペクト比が、出力部１１０ａと１１０ｂの両方を合わせた領域のアスペクト比よりも大きい場合において、コンテンツＡのアスペクト比が設定したしきい値よりも小さいと条件判定部１０３が判定した場合には、出力制御部１０２は、コンテンツＡのアスペクト比を変更せずに、コンテンツＡを出力部１１０ａと１１０ｂの両方を合わせた領域に合った大きさに拡大して出力部１１０ａと１１０ｂに出力する（ステップＳ７）。このステップＳ７の処理により、ユーザは、第二の姿勢において第一の姿勢のときよりも大きく視認しやすい表示でコンテンツＡの内容を確認することができる。
【００２７】
また、条件判定部１０３が、コンテンツＢの取得に課金が発生しないと判定し（ステップＳ３、ＮＯ）、更にコンテンツＢの取得に認証手続きが必要でないと判定した（ステップＳ４、ＮＯ）場合、条件判定部１０３は、コンテンツＢのダウンロードを指示するダウンロード指示信号を出力制御部１０２に出力する。出力制御部１０２は、そのダウンロード指示信号を入力すると、入力したダウンロード指示信号に応じてコンテンツＢをダウンロードする（ステップＳ８）。そして、出力制御部１０２は、コンテンツＢを出力部１１０ａと１１０ｂの両方を合わせた領域に出力する（ステップＳ９）。このステップＳ９の処理により、ユーザは、第二の姿勢に適したレイアウトのコンテンツＢにより当該コンテンツの内容を確認することができる。
【００２８】
なお、本実施形態による端末装置１０の条件判定部１０３の処理においては、ステップＳ３のコンテンツＢの取得に課金が発生するか否かの判定処理とステップＳ４のコンテンツＢの取得に認証手続きが必要か否かの判定処理の両方を行う場合の例について説明した。しかしながら、ステップＳ４のコンテンツＢの取得に認証手続きが必要か否かの判定処理を行わず、ステップＳ３の処理でＹＥＳと判定した場合にはステップＳ５の処理を行い、ステップＳ３の処理でＮＯと判定した場合にはステップＳ８の処理を行ってもよい。また、ステップＳ１の処理の後にステップＳ３のコンテンツＢの取得に課金が発生するか否かの判定処理を行わずにステップＳ４のコンテンツＢの取得に認証手続きが必要か否かの判定処理を行い、ステップＳ４の処理でＹＥＳと判定した場合にはステップＳ５の処理を行い、ステップＳ４の処理でＮＯと判定した場合にはステップＳ８の処理を行ってもよい。
ただし、本発明の実施形態における所定の条件は、上記のような条件１や条件２で示される条件だけではなく、例えば、データのダウンロード中であることや認証手続きの途中であるなどを示す条件であってもよい。
【００２９】
また、本実施形態による端末装置１０のステップＳ５の説明において、出力部１１０ａのみの領域のアスペクト比が出力部１１０ａと１１０ｂの両方を合わせた領域のアスペクト比よりも「大きい」場合において、コンテンツＡのアスペクト比が、設定されたしきい値よりも大きいか否かを判定する場合について説明した。しかしながら、出力部１１０ａのみの領域のアスペクト比が出力部１１０ａと１１０ｂの両方を合わせた領域のアスペクト比よりも「小さい」場合において、コンテンツＡのアスペクト比が、設定されたしきい値よりも大きいか否かを判定するようにしてもよい。
また、本実施形態による端末装置１０の説明は、ヒンジ部材２１を軸として第一筐体１１と第二筐体１２とを開閉する場合を例に行った。しかしながら第一筐体１１と第二筐体１２が開かれた状態（第二の姿勢）では出力部１１０ａと１１０ｂが、上述の構成と同様に、第一の姿勢（閉）において対向して重なり合う面とはそれぞれ反対の面に設けられる状態となる一方、第一筐体１１と第二筐体１２が閉じられた状態（第一の姿勢）では出力部１１０ａと１１０ｂの少なくとも一方のみが、第一筐体１１と第二筐体１２の第一の姿勢（閉）において対向して重なり合う面に設けられる状態となるような、開閉機構を有する端末装置１０であってもよい。
【００３０】
以上、本発明の実施形態による端末装置１０の処理フローについて説明したが、上述の端末装置１０の処理によれば、姿勢に応じて１つのコンテンツを１つの出力部に出力する場合と複数の出力部に出力する場合とでそのコンテンツの表示様式を切り替える際に、ユーザにとって不利益が生じないようにすることができる。例えば、姿勢を変化させたときの新たな姿勢において適切な、内容が同一で新たなフォーマットのコンテンツを取得するような端末装置１０において、条件判定部１０３の判定する所定の条件に応じて出力制御部１０２が出力部１１０に出力するコンテンツを制御することで、不要な再表示や再認証手続きを避け、新たな課金の発生や認証の為の情報の再度の煩雑な操作が増えるという問題を回避することができる。また、出力制御部１０２が、第一筐体１１と第二筐体１２の開閉状態に応じて出力部１１０に出力するコンテンツを制御することで、出力部１１０に適した大きさのコンテンツを出力することができる。
【００３１】
＜第二の実施形態＞
次に、本発明の第二の実施形態による端末装置１０について説明する。
本実施形態による端末装置１０の構成は、図２で示した第一の実施形態による端末装置１０の構成と同一であるため、その説明を省略する。
【００３２】
図８は、本発明の第二の実施形態による端末装置１０が第一の姿勢から第二の姿勢に変化した場合の出力部１１０の出力例を示す図である。
本実施形態による端末装置１０の第一の姿勢は、端末装置１０の第一筐体１１と第二筐体１２の間のヒンジ部材２１の軸が縦方向を向いている状態でありかつ、第一筐体１１と第二筐体１２とがヒンジ部材２１を中心に所定の角度以上（例えば１２０°以上）で開かれた場合の姿勢を示す。ユーザは、端末装置１０の状態を第一の姿勢になるよう第一筐体１１と第二筐体１２とを開くことにより第一筐体１１に設けられた出力部１１０ａと第二筐体１２に設けられた出力部１１０ｂの２つの出力部を一度に視認することができる。
また、本実施形態による端末装置１０の第二の姿勢は、端末装置１０の第一筐体１１と第二筐体１２の間のヒンジ部材２１の軸が縦方向を向いている状態でありかつ、第一筐体１１と第二筐体１２とが閉じられた場合の姿勢を示す。第二の姿勢の場合、第一筐体１１と第二筐体１２とにそれぞれ設けられた出力部１１０は、当該第一の姿勢において外側に設けられた状態となる。つまり出力部１１０ａと１１０ｂは、第一筐体１１と第二筐体１２の第一の姿勢において重なり合うそれぞれの面とは反対の面に設けられている。
つまり、本実施形態による端末装置１０の姿勢は、第一の実施形態による端末装置１０の姿勢と開状態と閉状態が反対であり、第一の実施形態による端末装置１０の第一の姿勢が閉状態で第二の姿勢が開状態であるのに対して、本実施形態の端末装置１０の第一の姿勢は開状態であり第二の姿勢は閉状態である。
端末装置１０の姿勢が第一の姿勢から第二の姿勢に変化した場合に出力部１１０は条件判定部１０３が所定の条件により判定した判定結果に基づいて、異なるコンテンツを出力する。
【００３３】
図８では、第一の姿勢から第二の姿勢に変化した場合において「条件４」、「条件５」、「条件６」に合致したと判定した場合のコンテンツの出力例を示している。
ここで、図８における「条件４」は、
（１ｂ）「第一の姿勢における出力部１１０に出力していたコンテンツＢの取得に課金が発生し、第二の姿勢における出力部１１０に出力するコンテンツとして適したコンテンツＡの取得にも課金が発生する」、または、「第一の姿勢における出力部１１０に出力していたコンテンツＢの取得に認証手続きが必要であり、第二の姿勢における出力部１１０に出力するコンテンツとして適したコンテンツＡの取得にも認証手続きが必要である」の何れかを満足し、
（２ｂ）コンテンツＢの情報量が第二の姿勢における出力部１１０ａのみの領域に一度に表示可能な情報量であることを満足する、
という条件である。
第二の姿勢となった端末装置１０の条件判定部１０３がこの「条件４」を満たしたと判定した場合、当該端末装置１０の出力制御部１０２は、コンテンツＢを出力部１１０ａに合った大きさに縮小して出力部１１０ａに出力する（図８の条件４参照）。
【００３４】
また、図８における「条件５」は、
（１ｂ）「第一の姿勢における出力部１１０に出力していたコンテンツＢの取得に課金が発生し、第二の姿勢における出力部１１０に出力するコンテンツとして適したコンテンツＡの取得にも課金が発生する」、または、「第一の姿勢における出力部１１０に出力していたコンテンツＢの取得に認証手続きが必要であり、第二の姿勢における出力部１１０に出力するコンテンツとして適したコンテンツＡの取得にも認証手続きが必要である」の何れかを満足し、
（３ｂ）コンテンツＢの情報量が出力部１１０ａのみの領域に一度に表示不可能な情報量であることを満足する、
という条件である。
第二の姿勢となった端末装置１０の条件判定部１０３がこの「条件５」を満たしたと判定した場合、当該端末装置１０の出力制御部１０２は、第一の姿勢における出力部１１０ａと１１０ｂの両方を合わせた領域に出力していたコンテンツＢのうち出力部１１０ａに出力していたコンテンツを特に変更せず出力部１１０ａに出力する（図８の条件５参照）。
【００３５】
また、図８における「条件６」は、上述の「条件４」と「条件５」の何れも満足しない、という条件を示している。
第二の姿勢となった端末装置１０の条件判定部１０３がこの「条件６」を満たしたと判定した場合（つまり、条件４も条件５も満足しない場合）、端末装置１０の出力制御部１０２は、コンテンツＡをダウンロードし、そのコンテンツＡを出力部１１０ａの領域に出力する（図８の条件６参照）。このとき、コンテンツＡは、無料コンテンツであり、認証手続の必要のないコンテンツである。また、コンテンツＡは、出力部１１０ａの領域に適したスマートフォン用の様式で作成されたコンテンツである。そのため、端末装置１０の出力制御部１０２が、コンテンツＡをダウンロードし、そのコンテンツＡを出力部１１０ａの領域に出力することで、ユーザはより領域の広い出力部にコンテンツが表示されるため当該コンテンツを視認しやすく、またコンテンツが課金されることはないためユーザにとって特に不利益を被ることなくコンテンツの再取得とそのコンテンツの出力をすることができる。
【００３６】
図９は、本発明の第二の実施形態による端末装置１０の処理フローを示す図である。
次に、本実施形態による端末装置１０の処理フローを説明する。
まず、端末装置１０は、第一の姿勢においてスマートフォン用の様式で作成されたコンテンツＡを出力している状態であるとする。そして、この状態からユーザ操作に基づいて第二の姿勢に変化する場合を想定して以下で説明する。
なお、記憶部１１１には、第一の姿勢から第二の姿勢に変化する前の状態において端末装置１０が第一の姿勢であることを示す情報が記録されているものとする。また、端末装置１０は、姿勢に応じた表示領域に適切な、内容が同一で新たなフォーマットのコンテンツの取得を実行するプログラムを予め記憶しており、姿勢の変化に応じて所定の条件を満足すればそのプログラムを実行するものであるとする。そして、記憶部１１１には、第一の姿勢において出力しているＰＣ用の様式で作成されたコンテンツＢの取得に課金が発生したか否かを示す情報とコンテンツＢの取得に認証手続きが必要であったか否かを示す情報が記録されているものとする。
【００３７】
端末装置１０の姿勢検出部１０１は、加速度センサ、角度センサ、磁気センサなどのセンサや機械的な機構を利用したスイッチなどを利用して第一筐体１１と第二筐体１２の開閉状態（第一の姿勢であるか、第二の姿勢であるか）やヒンジ部材の方向などを検出する。そして、姿勢検出部１０１は、記憶部１１１から姿勢を示す情報（第一の姿勢または第二の姿勢を示す情報）を読み出し、この読み出した姿勢の情報と、検出結果で得られた現在の姿勢を示す情報とを比較して、一致するか否かを判定する（ステップＳ１）。ここで、姿勢を示す情報が一致すると姿勢検出部１０１が判定した場合、当該姿勢検出部１０１は、端末装置１０の姿勢が変化していないと判定する（ステップＳ１、ＮＯ）。そして、姿勢検出部１０１は、ステップＳ１の判定処理を再度行う。また、姿勢を示す情報が一致しないと姿勢検出部１０１が判定した場合、当該姿勢検出部１０１は、端末装置１０の姿勢が変化したと判定する（ステップＳ１、ＹＥＳ）。そして、姿勢検出部１０１は、端末装置１０の姿勢が変化したことを検出すると、この姿勢変化後の姿勢の情報を記憶部１１１に記録する。また、姿勢検出部１０１は、その姿勢が変化したことを示す信号を条件判定部１０３に出力する。なお、以降の説明においては、端末装置１０の姿勢が第一の姿勢から第二の姿勢に変化したものとして話を進めることとする。
【００３８】
ここで、条件判定部１０３は、記憶部１１１から第一の姿勢において出力しているコンテンツＢの取得に課金が発生したか否かを示す情報とコンテンツＢの取得に認証手続きが必要であったか否かを示す情報を読み出す。そして、条件判定部１０３は、記憶部１１１から読み出した情報に基づいて課金が発生したか否かを判定し（ステップＳ１０）、次に認証手続きが必要であったか否かを判定する（ステップＳ１１）。ここで、条件判定部１０３が、記憶部１１１から読み出した情報に基づいてコンテンツＢの取得に課金が発生し、認証手続きが必要ではなかったと判定した場合、すなわち（ステップＳ１０、ＹＥＳ）（ステップ１１、ＮＯ）と判定した場合、端末装置１０は、姿勢の変化に伴って、現在の第二の姿勢において適したコンテンツの取得を行うか否かを判定する処理を開始する。このとき、条件判定部１０３は、第二の姿勢において出力部１１０に出力するのに適したスマートフォン用の様式で作成されたコンテンツＡが存在するか否かをサーバに問い合わせて判定する（ステップＳ１２）。そして、条件判定部１０３は、サーバからコンテンツＡの存在を示す信号を受信した（ステップＳ１２、ＹＥＳ）場合に、コンテンツＡの取得に課金が発生するか否かを判定する（ステップＳ１３）。ここで、条件判定部１０３が第二の姿勢においてコンテンツＡの取得に課金が発生すると判定した（ステップＳ１３、ＹＥＳ）場合、条件判定部１０３は、コンテンツＢの情報量としきい値とを比較して、コンテンツＢの情報量が出力部１１０ａのみの領域に一度に表示可能な情報量であるか否かを判定する（ステップＳ１４）。また、ステップＳ１２の処理で、条件判定部１０３が、サーバからコンテンツＡが存在しないことを示す信号を受信した（ステップＳ１２、ＮＯ）場合には、次にステップＳ１４の処理を行う。
【００３９】
また、条件判定部１０３が、ステップＳ１０の処理でコンテンツＢの取得に課金が発生しなかったと判定し（ステップＳ１０、ＮＯ）、ステップＳ１１の処理で認証手続きが必要であったと判定した（ステップＳ１１、ＹＥＳ）場合、端末装置１０は、姿勢の変化に伴って、現在の第二の姿勢において適したコンテンツの取得を行うか否かを判定する処理を開始する。このとき、条件判定部１０３は、第二の姿勢において出力部１１０に出力するのに適したスマートフォン用の様式で作成されたコンテンツＡが存在するか否かをサーバに問い合わせて判定する（ステップＳ１５）。そして、条件判定部１０３は、サーバからコンテンツＡの存在を示す信号を受信した（ステップＳ１５、ＹＥＳ）場合に、コンテンツＡの取得に認証手続きが必要であるか否かを判定する（ステップＳ１６）。ここで、条件判定部１０３が第二の姿勢においてコンテンツＡの取得に認証手続きが必要であると判定した（ステップＳ１６、ＹＥＳ）場合、次にステップＳ１４の処理を行う。また、ステップＳ１５の処理で、条件判定部１０３が、サーバからコンテンツＡが存在しないことを示す信号を受信した（ステップＳ１５、ＮＯ）場合には、次にステップＳ１４の処理を行う。
【００４０】
また、条件判定部１０３が、ステップＳ１０の処理でコンテンツＢの取得に課金が発生したと判定し（ステップＳ１０、ＹＥＳ）、ステップＳ１１の処理で認証手続きが必要であったと判定した（ステップＳ１１、ＹＥＳ）場合、端末装置１０は、姿勢の変化に伴って、現在の第二の姿勢において適したコンテンツの取得を行うか否かを判定する処理を開始する。このとき、条件判定部１０３は、第二の姿勢において出力部１１０に出力するのに適したスマートフォン用の様式で作成されたコンテンツＡが存在するか否かをサーバに問い合わせて判定する（ステップＳ１７）。そして、条件判定部１０３は、サーバからコンテンツＡの存在を示す信号を受信した（ステップＳ１７、ＹＥＳ）場合に、コンテンツＡの取得に課金が発生するか否かを判定する（ステップＳ１８）。ここで、条件判定部１０３が第二の姿勢においてコンテンツＡの取得に課金が発生すると判定した（ステップＳ１８、ＹＥＳ）場合、次にステップＳ１４の処理を行う。また、条件判定部１０３が第二の姿勢においてコンテンツＡの取得に課金が発生しないと判定した（ステップＳ１８、ＮＯ）場合、次にステップＳ１６の処理を行う。また、ステップＳ１７の処理で、条件判定部１０３が、サーバからコンテンツＡが存在しないことを示す信号を受信した（ステップＳ１７、ＮＯ）場合には、次にステップＳ１４の処理を行う。
【００４１】
そして、ステップＳ１４の処理で、条件判定部１０３がコンテンツＢの情報量としきい値とを比較して、コンテンツＢの情報量が出力部１１０ａのみの領域に一度に表示可能な情報量であるか否かを判定し、コンテンツＢの情報量がしきい値よりも小さいと判定した（ステップＳ１４、ＮＯ）場合、条件判定部１０３は、その判定結果を出力制御部１０２に出力する。出力制御部１０２は、条件判定部１０３から判定結果を入力すると、その入力に応じて、コンテンツＢを出力部１１０ａに合った大きさに縮小して出力部１１０ａに出力する（ステップＳ１９）。このステップＳ１９の処理により、ユーザは、第二の姿勢においてコンテンツＢの全体を表示してコンテンツの内容を一度で確認することができる。
【００４２】
また、条件判定部１０３がコンテンツＢの情報量がしきい値よりも大きいと判定した（ステップＳ１４、ＹＥＳ）場合、条件判定部１０３は、その判定結果を出力制御部１０２に出力する。出力制御部１０２は、条件判定部１０３から判定結果を入力すると、その入力に応じて、コンテンツＢを第一の姿勢で表示されていた拡大率に等しい拡大率で出力部１１０ａのみの領域に出力する（ステップＳ２０）。このステップＳ２０の処理により、ユーザは、第二の姿勢においてコンテンツＢを横スクロールして第一の姿勢のときと同様の大きさでコンテンツの内容を確認することができる。
以上が、上述した「条件４」または「条件５」が成り立つ場合の端末装置１０の処理フローの説明である。
【００４３】
また、条件判定部１０３が、ステップＳ１０の処理でコンテンツＢの取得に課金が発生しなかったと判定し（ステップＳ１０、ＮＯ）、ステップＳ１１の処理で認証手続きが必要ではなかったと判定した（ステップＳ１１、ＮＯ）場合、ステップＳ１３の処理で条件判定部１０３が第二の姿勢においてコンテンツＡの取得に課金が発生しないと判定した（ステップＳ１３、ＮＯ）場合、ステップＳ１６の処理で条件判定部１０３が第二の姿勢においてコンテンツＡの取得に認証手続きが必要ではないと判定した（ステップＳ１６、ＮＯ）場合、条件判定部１０３はその判定結果を出力制御部１０２に出力する。そして、出力制御部１０２は、姿勢検出部１０１から判定結果を入力すると、その入力に応じて、スマートフォン用の様式で作成されたコンテンツＡをダウンロードする（ステップＳ２１）。また、出力制御部１０２は、そのダウンロードしたコンテンツＡを出力部１１０ａに出力する（ステップＳ２２）。このステップＳ２２の処理により、ユーザは、第二の姿勢に適したレイアウトのコンテンツＡでコンテンツの内容を確認することができる。
以上が、上述した「条件６」が成り立つ場合の端末装置１０の処理フローの説明である。
【００４４】
なお、本発明の実施形態による端末装置１０は複数の筐体と複数の出力部を備えていてもよい。その場合、出力制御部１０２は、姿勢検出部１０１が検出した姿勢変化前の姿勢において複数の出力部のうち複数の出力部に出力していたコンテンツを、姿勢変化前の姿勢において当該コンテンツを出力していた出力部の数よりも少ない姿勢変化後の姿勢における出力部に合った大きさに縮小したコンテンツを姿勢変化後の姿勢における出力部に出力してもよい。
【００４５】
以上、本発明の実施形態による端末装置１０の処理フローについて説明したが、上述の端末装置１０の処理によれば、姿勢に応じて１つのコンテンツを１つの出力部に出力する場合と複数の出力部に出力する場合とでそのコンテンツの表示様式を切り替える際に、ユーザにとって不利益が生じないようにすることができる。例えば、姿勢を変化させたときの新たな姿勢において適切な、内容が同一で新たなフォーマットのコンテンツを取得するような端末装置１０において、条件判定部１０３の判定する所定の条件に応じて出力制御部１０２が出力部１１０に出力するコンテンツを制御することで、不要な再表示や再認証手続きを避け、新たな課金の発生や煩雑な操作が増えるという問題を回避することができる。また、出力制御部１０２が、第一筐体１１と第二筐体１２の開閉状態に応じて出力部１１０に出力するコンテンツを制御することで、出力部１１０に適した大きさのコンテンツを出力することができる。
【００４６】
＜第三の実施形態＞
次に、本発明の第三の実施形態による端末装置１０について説明する。
本実施形態による端末装置１０の構成は、図２で示した第一の実施形態による端末装置１０の構成と同一であるため、その説明を省略する。
【００４７】
図１０は、本発明の第三の実施形態による端末装置１０が第一の姿勢から第二の姿勢に変化した場合の出力部１１０の出力例を示す図である。
本実施形態による端末装置１０の第一の姿勢は、端末装置１０の第一筐体１１と第二筐体１２の間のヒンジ部材２１の軸が横方向を向いている状態でありかつ、第一筐体１１と第二筐体１２とが閉じられた場合の姿勢を示す。第一の姿勢の場合、第一筐体１１と第二筐体１２とにそれぞれ設けられた出力部１１０は、当該第一の姿勢において外側に設けられた状態となる。つまり出力部１１０ａと１１０ｂは、第一筐体１１と第二筐体１２の第一の姿勢において重なり合うそれぞれの面とは反対の面に設けられている。また、本実施形態による端末装置１０の第二の姿勢は、端末装置１０の第一筐体１１と第二筐体１２の間のヒンジ部材２１の軸が横方向を向いている状態でありかつ、第一筐体１１と第二筐体１２とがヒンジ部材２１を中心に所定の角度以上（例えば１２０°以上）で開かれた場合の姿勢を示す。ユーザは、端末装置１０の状態を第二の姿勢になるよう第一筐体１１と第二筐体１２とを開くことにより第一筐体１１に設けられた出力部１１０ａと第二筐体１２に設けられた出力部１１０ｂの２つの出力部を一度に視認することができる。
つまり、本実施形態による端末装置１０の姿勢は、第一の実施形態による端末装置１０の姿勢とヒンジ部材２１の軸の向きが異なり、第一の実施形態による端末装置１０のヒンジ部材２１の軸が縦方向であるのに対して、本実施形態の端末装置１０のヒンジ部材２１の軸は横方向である。
端末装置１０の姿勢が第一の姿勢から第二の姿勢に変化した場合に出力部１１０は条件判定部１０３が所定の条件により判定した判定結果に基づいて、異なるコンテンツを出力する。
【００４８】
図１０では、第一の姿勢から第二の姿勢に変化した場合において「条件７」、「条件８」、「条件９」に合致したと判定した場合のコンテンツの出力例を示している。
図１０における「条件７」とは、端末装置１０の第一筐体１１と第二筐体１２の間のヒンジ部材２１の軸が横方向を向いている状態であることを除けば、第一の実施形態と同様に次の項目（１ａ）と（２ａ）が成り立つような条件である。
ここで、図１０における「条件７」は、
（１ａ）「第二の姿勢における出力部１１０に出力するコンテンツとして適したコンテンツＢの取得に課金が発生する」、または、「第二の姿勢における出力部１１０に出力するコンテンツとして適したコンテンツＢの取得に認証手続きが必要である」の何れかを満足し、
（２ａ）第一の姿勢で出力部１１０ａに出力していたコンテンツＡのアスペクト比が、出力部１１０ａと１１０ｂの両方を合わせた領域のアスペクト比よりも、出力部１１０ａのみの領域のアスペクト比に近いことを満足する、
という条件である。
第二の姿勢となった端末装置１０の条件判定部１０３がこの「条件７」を満たしたと判定した場合、当該端末装置１０の出力制御部１０２は、コンテンツＡを特に変更せずに出力部１１０ａに出力する（図１０の条件７参照）。
【００４９】
また、図１０における「条件８」とは、端末装置１０の第一筐体１１と第二筐体１２の間のヒンジ部材２１の軸が横方向を向いている状態であることを除けば、第一の実施形態と同様に次の項目（１ａ）と（３ａ）が成り立つような条件である。
ここで、図１０における「条件７」は、
（１ａ）「第二の姿勢における出力部１１０に出力するコンテンツとして適したコンテンツＢの取得に課金が発生する」、または、「第二の姿勢における出力部１１０に出力するコンテンツとして適したコンテンツＢの取得に認証手続きが必要である」の何れかを満足し、
（３ａ）第一の姿勢で出力部１１０ａに出力していたコンテンツＡのアスペクト比が、出力部１１０ａのみの領域のアスペクト比よりも、出力部１１０ａと１１０ｂの両方を合わせた領域のアスペクト比に近いことを満足する、
という条件である。
第二の姿勢となった端末装置１０の条件判定部１０３がこの「条件８」を満たしたと判定した場合、当該端末装置１０の出力制御部１０２は、コンテンツＡを出力部１１０ａと１１０ｂの両方を合わせた領域に合った大きさに拡大して出力部１１０ａと１１０ｂに出力する（図１０の条件８参照）。
【００５０】
また、図１０における「条件９」は、上述の「条件７」と「条件８」の何れも満足しない、という条件を示している。
第二の姿勢となった端末装置１０の条件判定部１０３がこの「条件９」を満たしたと判定した場合（つまり、条件７も条件８も満足しない場合）、端末装置１０の出力制御部１０２は、コンテンツＢをダウンロードし、そのコンテンツＢを出力部１１０ａと１１０ｂの両方を合わせた領域に出力する（図１０の条件９参照）。このとき、コンテンツＢは、無料コンテンツであり、認証手続の必要のないコンテンツである。また、コンテンツＢは、出力部１１０ａと１１０ｂの両方を合わせた領域に適したＰＣ用の様式で作成されたコンテンツである。そのため、端末装置１０の出力制御部１０２が、コンテンツＢをダウンロードし、そのコンテンツＢを出力部１１０ａと１１０ｂの両方を合わせた領域に出力することで、ユーザはより領域の広い出力部にコンテンツが表示されるため当該コンテンツを視認しやすく、またコンテンツが課金されることはないためユーザにとって特に不利益を被ることなくコンテンツの再取得とそのコンテンツの出力をすることができる。
【００５１】
図１１は、本発明の第三の実施形態による端末装置１０の処理フローを示す図である。
次に、本実施形態による端末装置１０の処理フローを説明する。
なお、本実施形態による端末装置１０の姿勢検出部１０１の検出する姿勢が第一の実施形態による端末装置１０の姿勢検出部１０１の検出する姿勢と異なるため、本実施形態による端末装置１０のステップＳ２３の処理における判定基準におけるコンテンツのアスペクト比としきい値の大小関係は、第一の実施形態による端末装置１０のステップＳ５の処理における判定基準の場合の大小関係と逆になる。本実施形態による端末装置１０のその他の処理は、第一の実施形態による端末装置１０における処理と同一である。
次に、本実施形態による端末装置１０のステップＳ２３の処理について説明する。本実施形態による端末装置１０は、（ステップＳ３、ＹＥＳ）の次の処理、または、（ステップＳ４、ＹＥＳ）の次の処理として、条件判定部１０３は、出力部１１０ａのみの領域のアスペクト比とおける出力部１１０ａと１１０ｂの両方を合わせた領域のアスペクト比の間に設定したしきい値と、コンテンツＡのアスペクト比と、を比較する（ステップＳ２３）。
【００５２】
ここで、出力部１１０ａのみの領域のアスペクト比（本実施形態では、「横／縦」と考える）が出力部１１０ａと１１０ｂの両方を合わせた領域のアスペクト比よりも大きい場合において、コンテンツＡのアスペクト比が、設定されたしきい値よりも大きいと条件判定部１０３が判定した（ステップＳ２３、ＹＥＳ）場合、コンテンツＡのアスペクト比は、出力部１１０ａと１１０ｂの両方を合わせた領域のアスペクト比よりも出力部１１０ａのみの領域のアスペクト比に近いといえる。また、出力部１１０ａのみの領域のアスペクト比が出力部１１０ａと１１０ｂの両方を合わせた領域のアスペクト比よりも大きい場合において、コンテンツＡのアスペクト比が、設定されたしきい値よりも小さいと条件判定部１０３が判定した（ステップＳ２３、ＮＯ）場合、コンテンツＡのアスペクト比は、出力部１１０ａのみの領域のアスペクト比よりも出力部１１０ａと１１０ｂの両方を合わせた領域のアスペクト比に近いといえる。
そのため、出力部１１０ａのみの領域のアスペクト比が、出力部１１０ａと１１０ｂの両方を合わせた領域のアスペクト比よりも大きい場合において、コンテンツＡのアスペクト比が設定したしきい値よりも大きいと条件判定部１０３が判定した（ステップＳ２３、ＹＥＳ）場合には、コンテンツＡを特に変更せず出力部１１０ａのみの領域に出力する（ステップＳ６）。本実施形態による端末装置１０のその他の処理フローは、第一の実施形態による端末装置１０の処理フローと同様であり、同一の番号で表された処理ステップが対応している。
【００５３】
以上、本発明の実施形態による端末装置１０の処理フローについて説明したが、上述の端末装置１０の処理によれば、姿勢に応じて１つのコンテンツを１つの出力部に出力する場合と複数の出力部に出力する場合とでそのコンテンツの表示様式を切り替える際に、ユーザにとって不利益が生じないようにすることができる。例えば、姿勢を変化させたときの新たな姿勢において適切な、内容が同一で新たなフォーマットのコンテンツを取得するような端末装置１０において、条件判定部１０３の判定する所定の条件に応じて出力制御部１０２が出力部１１０に出力するコンテンツを制御することで、不要な再表示や再認証手続きを避け、新たな課金の発生や煩雑な操作が増えるという問題を回避することができる。また、出力制御部１０２が、第一筐体１１と第二筐体１２の開閉状態に応じて出力部１１０に出力するコンテンツを制御することで、出力部１１０に適した大きさのコンテンツを出力することができる。
【００５４】
＜第四の実施形態＞
次に、本発明の第四の実施形態による端末装置１０について説明する。
本実施形態による端末装置１０の構成は、図２で示した第一の実施形態による端末装置１０の構成と同一であるため、その説明を省略する。
【００５５】
図１２は、本発明の第四の実施形態による端末装置１０が第一の姿勢から第二の姿勢に変化した場合の出力部１１０の出力例を示す図である。
本実施形態による端末装置１０の第一の姿勢は、端末装置１０の第一筐体１１と第二筐体１２の間のヒンジ部材２１の軸が横方向を向いている状態でありかつ、第一筐体１１と第二筐体１２とがヒンジ部材２１を中心に所定の角度以上（例えば１２０°以上）で開かれた場合の姿勢を示す。ユーザは、端末装置１０の状態を第一の姿勢になるよう第一筐体１１と第二筐体１２とを開くことにより第一筐体１１に設けられた出力部１１０ａと第二筐体１２に設けられた出力部１１０ｂの２つの出力部を一度に視認することができる。
【００５６】
また、本実施形態による端末装置１０の第二の姿勢は、端末装置１０の第一筐体１１と第二筐体１２の間のヒンジ部材２１の軸が横方向を向いている状態でありかつ、第一筐体１１と第二筐体１２とが閉じられた場合の姿勢を示す。第二の姿勢の場合、第一筐体１１と第二筐体１２とにそれぞれ設けられた出力部１１０は、当該第一の姿勢において外側に設けられた状態となる。つまり出力部１１０ａと１１０ｂは、第一筐体１１と第二筐体１２の第一の姿勢において重なり合うそれぞれの面とは反対の面に設けられている。
つまり、本実施形態による端末装置１０の姿勢は、第二の実施形態による端末装置１０の姿勢とヒンジ部材２１の軸の向きが異なり、第二の実施形態による端末装置１０のヒンジ部材２１の軸が縦方向であるのに対して、本実施形態の端末装置１０のヒンジ部材２１の軸は横方向である。
端末装置１０の姿勢が第一の姿勢から第二の姿勢に変化した場合に出力部１１０は条件判定部１０３が所定の条件により判定した判定結果に基づいて、異なるコンテンツを出力する。
【００５７】
図１２では、第一の姿勢から第二の姿勢に変化した場合において「条件１０」、「条件１１」、「条件１２」に合致したと判定した場合のコンテンツの出力例を示している。
図１２では、第一の姿勢から第二の姿勢に変化した場合において「条件１０」、「条件１１」、「条件１２」に合致したと判定した場合のコンテンツの出力例を示している。
図１２における「条件１０」とは、端末装置１０の第一筐体１１と第二筐体１２の間のヒンジ部材２１の軸が横方向を向いている状態であることを除けば、第二の実施形態と同様に次の項目（１ｂ）と（２ｂ）が成り立つような条件である。
ここで、図１２における「条件１０」は、
（１ｂ）「第一の姿勢における出力部１１０に出力していたコンテンツＢの取得に課金が発生し、第二の姿勢における出力部１１０に出力するコンテンツとして適したコンテンツＡの取得にも課金が発生する」、または、「第一の姿勢における出力部１１０に出力していたコンテンツＢの取得に認証手続きが必要であり、第二の姿勢における出力部１１０に出力するコンテンツとして適したコンテンツＡの取得にも認証手続きが必要である」の何れかを満足し、
（２ｂ）コンテンツＢの情報量が出力部１１０ａのみの領域に一度に表示可能な情報量であることを満足する、
という条件である。
第二の姿勢となった端末装置１０の条件判定部１０３がこの「条件１０」を満たしたと判定した場合、当該端末装置１０の出力制御部１０２は、コンテンツＢを出力部１１０ａに合った大きさに縮小して出力部１１０ａに出力する（図１２の条件１０参照）。
【００５８】
また、図１２における「条件１１」とは、端末装置１０の第一筐体１１と第二筐体１２の間のヒンジ部材２１の軸が横方向を向いている状態であることを除けば、第二の実施形態と同様に次の項目（１ｂ）と（３ｂ）が成り立つような条件である。
ここで、図１２における「条件１１」は、
（１ｂ）「第一の姿勢における出力部１１０に出力していたコンテンツＢの取得に課金が発生し、第二の姿勢における出力部１１０に出力するコンテンツとして適したコンテンツＡの取得にも課金が発生する」、または、「第一の姿勢における出力部１１０に出力していたコンテンツＢの取得に認証手続きが必要であり、第二の姿勢における出力部１１０に出力するコンテンツとして適したコンテンツＡの取得にも認証手続きが必要である」の何れかを満足し、
（３ｂ）コンテンツＢの情報量が出力部１１０ａのみの領域に一度に表示不可能な情報量であることを満足する、
という条件である。
第二の姿勢となった端末装置１０の条件判定部１０３がこの「条件１１」を満たしたと判定した場合、当該端末装置１０の出力制御部１０２は、第一の姿勢における出力部１１０ａと１１０ｂの両方を合わせた領域に出力していたコンテンツＢのうち出力部１１０ａに出力していたコンテンツを特に変更せず出力部１１０ａに出力する（図１２の条件１１参照）。
【００５９】
また、図１２における「条件１２」は、上述の「条件１０」と「条件１１」の何れも満足しない、という条件を示している。
第二の姿勢となった端末装置１０の条件判定部１０３がこの「条件１２」を満たしたと判定した場合（つまり、条件１０も条件１１も満足しない場合）、端末装置１０の出力制御部１０２は、コンテンツＡをダウンロードし、そのコンテンツＡを出力部１１０ａの領域に出力する（図１２の条件１２参照）。このとき、コンテンツＡは、無料コンテンツであり、認証手続の必要のないコンテンツである。また、コンテンツＡは、出力部１１０ａの領域に適したスマートフォン用の様式で作成されたコンテンツである。そのため、端末装置１０の出力制御部１０２が、コンテンツＡをダウンロードし、そのコンテンツＡを出力部１１０ａの領域に出力することで、ユーザはより領域の広い出力部にコンテンツが表示されるため当該コンテンツを視認しやすく、またコンテンツが課金されることはないためユーザにとって特に不利益を被ることなくコンテンツの再取得とそのコンテンツの出力をすることができる。
【００６０】
なお、端末装置１０は、第一の姿勢においてＰＣ用の様式で作成されたコンテンツＢを出力している状態から第二の姿勢に変化すると仮定すると、本実施形態による端末装置１０の姿勢検出部１０１の検出する姿勢が第二の実施形態による端末装置１０の姿勢検出部１０１の検出する姿勢と異なることを除けば、図９で示した第二の実施形態による端末装置１０の処理フローと同一である。
【００６１】
以上、本発明の実施形態による端末装置１０について説明したが、上述の端末装置１０の処理によれば、姿勢に応じて１つのコンテンツを１つの出力部に出力する場合と複数の出力部に出力する場合とでそのコンテンツの表示様式を切り替える際に、ユーザにとって不利益が生じないようにすることができる。例えば、姿勢を変化させたときの新たな姿勢において適切な、内容が同一で新たなフォーマットのコンテンツを取得するような端末装置１０において、条件判定部１０３の判定する所定の条件に応じて出力制御部１０２が出力部１１０に出力するコンテンツを制御することで、不要な再表示や再認証手続きを避け、新たな課金の発生や煩雑な操作が増えるという問題を回避することができる。また、出力制御部１０２が、第一筐体１１と第二筐体１２の開閉状態に応じて出力部１１０に出力するコンテンツを制御することで、出力部１１０に適した大きさのコンテンツを出力することができる。
【００６２】
＜第五の実施形態＞
次に、本発明の第五の実施形態による端末装置１０について説明する。
本実施形態による端末装置１０の構成は、図２で示した第一の実施形態による端末装置１０の構成と同一であるため、その説明を省略する。
【００６３】
図１３は、本発明の第五の実施形態による端末装置１０が第一の姿勢から第二の姿勢に変化した場合の出力部１１０の出力例を示す図である。
ただし、本発明の第一の実施形態とは異なり、本実施形態による端末装置１０の第一の姿勢は、端末装置１０の第一筐体１１と第二筐体１２の間のヒンジ部材２１の軸が横方向を向いている状態でありかつ、第一筐体１１と第二筐体１２とが閉じられた場合の姿勢を示す。第一の姿勢の場合、第一筐体１１と第二筐体１２とにそれぞれ設けられた出力部１１０は、当該第一の姿勢において外側に設けられた状態となる。つまり出力部１１０ａと１１０ｂは、第一筐体１１と第二筐体１２の第一の姿勢において重なり合うそれぞれの面とは反対の面に設けられている。また、本実施形態による端末装置１０の第二の姿勢は、端末装置１０の第一筐体１１と第二筐体１２の間のヒンジ部材２１の軸が横方向を向いている状態でありかつ、第一筐体１１と第二筐体１２とがヒンジ部材２１を中心に所定の角度以上（例えば１２０°以上）で開かれた場合の姿勢を示す。ユーザは、端末装置１０の状態を第二の姿勢になるよう第一筐体１１と第二筐体１２とを開くことにより第一筐体１１に設けられた出力部１１０ａと第二筐体１２に設けられた出力部１１０ｂの２つの出力部を一度に視認することができる。
つまり、本実施形態による端末装置１０の姿勢は、第一の実施形態による端末装置１０の姿勢とヒンジ部材２１の軸の向きが異なり、第一の実施形態による端末装置１０のヒンジ部材２１の軸が縦方向であるのに対して、本実施形態の端末装置１０のヒンジ部材２１の軸は横方向である。
端末装置１０の姿勢が第一の姿勢から第二の姿勢に変化した場合に出力部１１０は条件判定部１０３が所定の条件により判定した判定結果に基づいて、異なるコンテンツを出力する。
【００６４】
図１３では、第一の姿勢から第二の姿勢に変化した場合において「条件１３」、「条件１４」に合致したと判定した場合のコンテンツの出力例を示している。
ここで、図１３における「条件１３」は、
（１ｃ）「ユーザ操作入力を要する情報の入力途上である」
を満足し、端末装置１０の条件判定部１０３がこの「条件１３」を満たしたと判定した場合、当該端末装置１０の出力制御部１０２は、コンテンツＡを特に変更せずに出力部１１０ａに出力し、ユーザ操作入力を引き続き受け付ける。こうすることで、ユーザは、情報の再入力や再表示を回避することができる。
また、図１３における「条件１４」とは、上述の「条件１３」を満足しない、という条件を示している。
第二の姿勢となった端末装置１０の条件判定部１０３がこの「条件１４」を満たしたと判定した場合（つまり、条件１３を満足しない場合）、端末装置１０の出力制御部１０２は、コンテンツＢをダウンロードし、そのコンテンツＢを出力部１１０ａと１１０ｂの両方を合わせた領域に出力する（図１３の条件１４参照）。このとき、コンテンツＢは、ユーザ操作入力を要する情報の入力途上ではないコンテンツである。また、コンテンツＢは、出力部１１０ａと１１０ｂの両方を合わせた領域に適したＰＣ用の様式で作成されたコンテンツである。そのため、端末装置１０の出力制御部１０２が、コンテンツＢをダウンロードし、そのコンテンツＢを出力部１１０ａと１１０ｂの両方を合わせた領域に出力することで、ユーザはコンテンツを視認しやすくなる。
【００６５】
図１４は、本発明の第五の実施形態による端末装置１０の処理フローを示す図である。
次に、本実施形態による端末装置１０の処理フローを説明する。
まず、端末装置１０は、第一の姿勢においてスマートフォン用の様式で作成されたコンテンツＡを出力している状態であるとする。そして、この状態からユーザ操作に基づいて第二の姿勢に変化する場合を想定して以下で説明する。
なお、記憶部１１１には、第一の姿勢から第二の姿勢に変化する前の状態において端末装置１０が第一の姿勢であることを示す情報が記録されているものとする。また、端末装置１０は、姿勢に応じた表示領域に適切な、内容が同一で新たなフォーマットのコンテンツの取得を実行するプログラムを予め記憶しており、姿勢の変化に応じて所定の条件を満足すればそのプログラムを実行するものであるとする。そして、記憶部１１１には、第一の姿勢において出力しているスマートフォン用の様式で作成されたコンテンツＡにおいて、ユーザ操作入力を要する情報の入力途上であるか否かを示す情報が記録されているものとする。
【００６６】
端末装置１０の姿勢検出部１０１は、加速度センサ、角度センサ、磁気センサなどのセンサや機械的な機構を利用したスイッチなどを利用して第一筐体１１と第二筐体１２の開閉状態（第一の姿勢であるか、第二の姿勢であるか）やヒンジ部材の方向などを検出する。そして、姿勢検出部１０１は、記憶部１１１から姿勢を示す情報（第一の姿勢または第二の姿勢を示す情報）を読み出し、この読み出した姿勢の情報と、検出結果で得られた現在の姿勢を示す情報とを比較して、一致するか否かを判定する（ステップＳ１）。ここで、姿勢を示す情報が一致すると姿勢検出部１０１が判定した場合、当該姿勢検出部１０１は、端末装置１０の姿勢が変化していないと判定する（ステップＳ１、ＮＯ）。そして、姿勢検出部１０１は、ステップＳ１の判定処理を再度行う。また、姿勢を示す情報が一致しないと姿勢検出部１０１が判定した場合、当該姿勢検出部１０１は、端末装置１０の姿勢が変化したと判定する（ステップＳ１、ＹＥＳ）。そして、姿勢検出部１０１は、端末装置１０の姿勢が変化したことを検出すると、この姿勢変化後の姿勢の情報を記憶部１１１に記録する。また、姿勢検出部１０１は、その姿勢が変化したことを示す信号を条件判定部１０３に出力する。なお、以降の説明においては、端末装置１０の姿勢が第一の姿勢から第二の姿勢に変化したものとして話を進めることとする。
【００６７】
ここで、条件判定部１０３は、記憶部１１１から第一の姿勢において出力しているコンテンツＡにおいて、ユーザ操作入力を要する情報の入力途上であるか否かを示す情報を読み出す。そして、条件判定部１０３は、記憶部１１１から読み出した情報に基づいてユーザ操作入力を要する情報の入力途上であるか否かを判定する（ステップＳ２４）。例えば、コンテンツＡの入力欄に文字列が入力できるとする。この入力欄に文字列が入力された場合、ウェブブラウザ機能が当該文字列の情報をメモリ等に記憶した状態となる。この状態において条件判定部１０３はウェブブラウザのプログラムに対して文字列入力がされたかどうかを問い合わせる。ウェブブラウザのプログラムが文字列の情報をメモリ等に記憶している場合には当該プログラムは条件判定部１０３に入力途上であることを示す情報を出力する。これにより、条件判定部１０３は情報の入力途上であると判定する。ここで、条件判定部１０３が、ユーザ操作入力を要する情報の入力途上であると判定した（ステップＳ２４、ＹＥＳ）場合、端末装置１０の出力制御部１０２は、端末装置１０の姿勢が第二の姿勢に変化しても、第一の姿勢において出力部１１０ａの出力していたコンテンツＡを出力部１１０ａのみに等倍で出力する（ステップＳ２５）。こうすることで、ユーザは、情報の再入力や再表示を回避することができる。
【００６８】
また、ステップＳ２４で、条件判定部１０３が、ユーザ操作入力を要する情報の入力途上ではないと判定した（ステップＳ２４、ＮＯ）場合、端末装置１０は、姿勢の変化に伴って、現在の第二の姿勢において適したコンテンツの取得を行うか否かを判定する処理を開始する。このとき、条件判定部１０３は、第二の姿勢において出力部１１０に出力するのに適したＰＣ用の様式で作成されたコンテンツＢが存在するか否かをサーバに問い合わせて判定する（ステップＳ２６）。そして、条件判定部１０３は、サーバからコンテンツＢの存在を示す信号を受信した（ステップＳ２６、ＹＥＳ）場合に、条件判定部１０３は、コンテンツＢのダウンロードを指示するダウンロード指示信号を出力制御部１０２に出力する。出力制御部１０２は、そのダウンロード指示信号を入力すると、入力したダウンロード指示信号に応じてコンテンツＢをダウンロードする（ステップＳ２７）。そして、出力制御部１０２は、コンテンツＢを出力部１１０ａと１１０ｂの両方を合わせた領域に出力する（ステップＳ２８）。このステップＳ９の処理により、ユーザは、第二の姿勢に適したレイアウトのコンテンツＢでコンテンツの内容を確認することができる。また、ステップＳ２６の処理で、条件判定部１０３が、サーバからコンテンツＢが存在しないことを示す信号を受信した（ステップＳ２６、ＮＯ）場合には、次にステップＳ２５の処理を行う。
【００６９】
なお、本実施形態による端末装置１０の条件判定部１０３が第一の姿勢において、出力部１１０ａに出力しているコンテンツＡでユーザ操作入力を要する情報の入力途上ではないと判定した場合、出力制御部１０２は、端末装置１０が第一の姿勢から第二の姿勢に変化したときに、スマートフォン用の様式で作成されたコンテンツＡを出力部１１０ａと１１０ｂの両方を合わせた領域に合うように拡大して出力してもよい。
また、本実施形態による端末装置１０の条件判定部１０３は、ステップＳ２４の処理で、第一の姿勢において、出力部１１０ａに出力しているコンテンツＡでユーザ操作入力を要する情報の入力途上の有無を判定したが、ユーザ操作入力を要する情報の入力途上の有無の代わりにデータのダウンロード中の有無を判定し、その判定結果に応じて出力制御部１０２が出力部１１０へコンテンツを出力してもよい。このダウンロード中の有無の判定は、例えば、通信の有無を検出し、通信先との情報の送受信量や記憶部１１１の記憶容量の減少などに基づいてダウンロード中の有無を判定する技術や、公知の技術を用いて行えばよい。
また、本実施形態におけるユーザ操作入力を要する情報の入力途上やダウンロードの途上の有無を判定は、本実施形態において示した端末装置１０の姿勢に限定するものではなく、どのような姿勢に対して行ってもよい。
【００７０】
以上、本発明の実施形態による端末装置１０の処理フローについて説明したが、上述の端末装置１０の処理によれば、姿勢に応じて１つのコンテンツを１つの出力部に出力する場合と複数の出力部に出力する場合とでそのコンテンツの表示様式を切り替える際に、ユーザにとって不利益が生じないようにすることができる。例えば、姿勢を変化させたときの新たな姿勢において適切な、内容が同一で新たなフォーマットのコンテンツを取得するような端末装置１０において、出力制御部１０２は、ユーザ操作入力を要する情報の入力途上やデータのダウンロードの途上の場合に第一の姿勢と同一コンテンツを第二の姿勢における出力部１１０に出力することにより、情報の再入力、情報の再表示、データのリロードを回避することができる。
【００７１】
なお、本発明の実施形態による端末装置１０では、端末装置１０の第一筐体と第二筐体と共に２つの出力部１１０ａと１１０ｂで構成されている場合を例に示したが、筐体や出力部１１０は２つ以上であってもよい。また、本発明の実施形態による端末装置１０の第一の姿勢と第二の姿勢は、第一筐体１１と第二筐体１２とが閉じられた場合と、開かれた場合とを例に示すが、これらの姿勢に限定されるものではなく、異なる姿勢であればどのような姿勢であってもよい。また、本発明の実施形態による端末装置１０の説明において、第一の姿勢から第二の姿勢に変化するものとして説明し、姿勢変化前が第一の姿勢であり姿勢変化後が第二の姿勢に相当するが、その姿勢変化の順序は第一の姿勢から第二の姿勢に限定するものではなく、第一の姿勢と第二の姿勢が切り替わる場合であってよい。また、本発明の実施形態による端末装置１０の説明において、出力制御部１０２は、コンテンツを１つの出力部１１０ａの領域に出力する場合と、２つの出力部１１０ａと１１０ｂを合わせた領域に出力する場合とを例に示したが、コンテンツを複数の出力部を合わせた領域に出力する場合と、複数の出力部を合わせた領域に出力する場合とであってもよい。また、出力制御部１０２は、コンテンツを１つの出力部１１０の領域に出力する場合と、姿勢の異なる１つの出力部１１０に出力する場合とであってもよい。
【００７２】
また、本発明の実施形態による端末装置１０の出力部１１０は表示部のように説明したが、出力制御部１０２はスピーカであり、音データに応じて出力する音を制限してもよい。例えば、音データが曲であり、姿勢検出部１０１が端末装置１０の姿勢の変化を検出する度に、出力制御部１０２は出力する音楽を変更する条件において、端末装置１０の姿勢検出部１０１が姿勢変化を検出した場合であっても、出力制御部１０２は特定のミュージシャンの曲をスピーカに出力しているとき（ミュートも含む）には、曲を変更しないようにしてもよい。
【００７３】
なお本発明の実施形態について説明したが、上述の端末装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００７４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００７５】
１０・・・端末装置
１１・・・第一筐体
１２・・・第二筐体
２１・・・ヒンジ部材
１０１・・・姿勢検出部
１０２・・・出力制御部
１０３・・・条件判定部
１１０、１１０ａ、１１０ｂ・・・出力部
１１１・・・記憶部
【図１】
2015001855.tif 000003
【図２】
2015001855.tif 000004
【図３】
2015001855.tif 000005
【図４】
2015001855.tif 000006
【図５】
2015001855.tif 000007
【図６】
2015001855.tif 000008
【図７】
2015001855.tif 000009
【図８】
2015001855.tif 000010
【図９】
2015001855.tif 000011
【図１０】
2015001855.tif 000012
【図１１】
2015001855.tif 000013
【図１２】
2015001855.tif 000014
【図１３】
2015001855.tif 000015
【図１４】
2015001855.tif 000016